(57)【要約】  ここに概して記したものは、通信ノードからのＵＥトラヒックをオフロードするように構成された拡張型ノードＢ（ｅＮｏｄｅＢ）及びユーザ機器（ＵＥ）、並びに、それらのための技術である。ｅＮｏｄｅＢは、ｅＮｏｄｅＢのカバレッジエリア内の１つ又は複数のＷｉ−Ｆｉアクセスポイントのトラヒック負荷情報を取得し、対応するオフロードガイダンス情報を生成するように構成された処理回路を含んでもよい。トラヒック負荷情報は、１つ又は複数のＷｉ−Ｆｉアクセスポイント上のユーザ機器（ＵＥ）トラヒックフローに関する情報を含む。ｅＮｏｄｅＢは、オフロードガイダンス情報を１つ又は複数のＵＥに送信し、ＵＥトラヒックフローの少なくともいくつかをＷｉ−Ｆｉアクセスポイントの１つに移す要求をＵＥの少なくとも１つから受信するように構成された送受信機を含んでもよい。
2015523807.tif 000002
【特許請求の範囲】
【請求項１】
１つ又は複数のＷｉ−Ｆｉアクセスポイント上のユーザ機器（ＵＥ）トラヒックフローに関する情報を含む、拡張型ノードＢ（ｅＮｏｄｅＢ)のカバレッジエリア内の前記１つ又は複数のＷｉ−Ｆｉアクセスポイントのトラヒック負荷情報を取得し、対応するオフロードガイダンス情報を生成するように構成された処理回路と、
前記オフロードガイダンス情報を１つ又は複数のＵＥに送信し、前記ＵＥトラヒックフローの少なくともいくつかを前記１つ又は複数のＷｉ−Ｆｉアクセスポイントの１つに移す要求を前記１つ又は複数のＵＥの少なくとも１つから受信するように構成された送受信機と
を備える拡張型ノードＢ（ｅＮｏｄｅＢ)。
【請求項２】
前記オフロードガイダンス情報は、前記１つ又は複数のＷｉ−Ｆｉアクセスポイントのうちの１つのＷｉ−Ｆｉアクセスポイントに関連した１つ又は複数のパラメータを表すデータを含み、
前記１つ又は複数のパラメータは、
（１）Ｗｉ−Ｆｉアクセスポイント識別子、
（２）前記Ｗｉ−Ｆｉアクセスポイントに対するオフロード優先レベル、
（３）前記Ｗｉ−Ｆｉアクセスポイント上のトラヒック負荷レベル、
（４）前記Ｗｉ−Ｆｉアクセスポイント上で許容される周波数帯域、又は
（５）前記Ｗｉ−Ｆｉアクセスポイントの最大データレートのうちの１つ又は複数を含む、請求項１に記載のｅＮｏｄｅＢ。
【請求項３】
前記オフロードガイダンス情報は、前記１つ又は複数のＵＥのうちの１つのＵＥがトラヒックフローを切り替える要求をすることができる前記１つ又は複数のＷｉ−Ｆｉアクセスポイントに対するオフロード優先レベルを含む、請求項１に記載のｅＮｏｄｅＢ。
【請求項４】
前記オフロードガイダンス情報は、（１）サービスクラス識別子の最小品質、（２）確率的オフロードシード、（３）緊急指標、（４）切り替えヒステリシス値、又は（５）ポリシーインデックスのうちの１つ又は複数を含む、ｅＮｏｄｅＢに影響されない共通ガイダンス情報を含む、請求項１から３の何れか一項に記載のｅＮｏｄｅＢ。
【請求項５】
前記ｅＮｏｄｅＢ上の前記トラヒックフローは、１つ又は複数のサービスフローを含み、
前記オフロードガイダンス情報は、前記１つ又は複数のサービスフローのうちどのサービスフローが前記オフロードガイダンス情報を適用でき、特定アクセスポイントへの切り替え要求をすることができるかを示すサービスクラス識別子の最小品質を含む、請求項１から３の何れか一項に記載のｅＮｏｄｅＢ。
【請求項６】
前記オフロードガイダンス情報は、確率的オフロードシードを含み、
前記確率的オフロードシードは、前記１つ又は複数のＵＥからのトラヒックフローを前記Ｗｉ−Ｆｉアクセスポイントにオフロードさせる確率を決定する乱数である、請求項１から３の何れか一項に記載のｅＮｏｄｅＢ。
【請求項７】
前記オフロードガイダンス情報は、前記１つ又は複数のＵＥのうちの１つのＵＥ上の複数のオフロードポリシーのうちの１つのオフロードポリシーに対するインデックスを含む、請求項１から３の何れか一項に記載のｅＮｏｄｅＢ。
【請求項８】
前記オフロードガイダンス情報は、ＵＥトラヒックフローを前記ｅＮｏｄｅＢから前記１つ又は複数のＷｉ−Ｆｉアクセスポイントのうちの１つのＷｉ−Ｆｉアクセスポイントに無条件に切り替える要求をすることを前記ＵＥに示す緊急指標を含む、請求項１から３の何れか一項に記載のｅＮｏｄｅＢ。
【請求項９】
前記オフロードガイダンス情報は、切り替えヒステリシス値を含み、前記切り替えヒステリシス値は、前記ＵＥが、前記ｅＮｏｄｅＢ又はＷｉ−Ｆｉアクセスポイントから及びへの切り替えを繰り返し行うことを防ぐように構成される、請求項１から３の何れか一項に記載のｅＮｏｄｅＢ。
【請求項１０】
ユーザ機器（ＵＥ）が拡張型ノードＢ（ｅＮｏｄｅＢ）又はＷｉ−Ｆｉアクセスポイント上のトラヒックを有する場合、且つ、前記ＵＥがアイドルモードである場合に、前記ｅＮｏｄｅＢ又はＷｉ−Ｆｉアクセスポイントから、オフロードガイダンス情報を受信するように構成された送受信機と、
格納された１つ又は複数のオフロードポリシーを含むメモリと
を備え、
前記ＵＥは、前記ｅＮｏｄｅＢ又は前記Ｗｉ−Ｆｉアクセスポイント上の前記ＵＥのトラヒックの少なくともいくつかを、前記Ｗｉ−Ｆｉアクセスポイント又はｅＮｏｄｅＢに、前記オフロードガイダンス情報及び前記１つ又は複数のオフロードポリシーの機能としてオフロードすることを、前記ｅＮｏｄｅＢ又はＷｉ−Ｆｉアクセスポイントに要求するように構成される、ユーザ機器（ＵＥ）。
【請求項１１】
前記オフロードガイダンス情報は、確率的オフロードシード、緊急指標、ポリシーインデックス、又は切り替えヒステリシス値のうちの１つ又は複数を含む、請求項１０に記載のＵＥ。
【請求項１２】
前記ＵＥは、前記確率的オフロードシードの機能として乱数を算出し、前記ｅＮｏｄｅＢ又は前記Ｗｉ−Ｆｉアクセスポイントからのそのトラヒックの少なくともいくつかを前記乱数の機能としてオフロードすることを要求するように構成される、請求項１１に記載のＵＥ。
【請求項１３】
前記乱数が閾値を上回る場合に、前記ＵＥは、サービスクラス識別子の最小品質を有する又は上回る前記ＵＥのトラヒックをオフロードするように前記ｅＮｏｄｅＢ又は前記Ｗｉ−Ｆｉアクセスポイントに要求する、請求項１２に記載のＵＥ。
【請求項１４】
前記緊急指標は、前記ＵＥが、前記ｅＮｏｄｅＢ又はＷｉ−Ｆｉアクセスポイントからのそのトラヒックをオフロードする要求を無条件に送信することを示す、請求項１１から１３の何れか一項に記載のＵＥ。
【請求項１５】
前記切り替えヒステリシス値は、前記ＵＥが、トラヒックの前記ｅＮｏｄｅＢ又はＷｉ−Ｆｉアクセスポイントから及びへの切り替えを繰り返し要求することを防ぐように構成される、請求項１１から１４の何れか一項に記載のＵＥ。
【請求項１６】
前記ポリシーインデックスは、前記１つ又は複数のオフロードポリシーのうちどのオフロードポリシーを実行するかを前記ＵＥに対して示す、請求項１１から１５の何れか一項に記載のＵＥ。
【請求項１７】
拡張型ノードＢ（ｅＮｏｄｅＢ）からのユーザ機器（ＵＥ）トラヒックをオフロードする方法であって、
前記ｅＮｏｄｅＢにおいて、１つ又は複数のＷｉ−Ｆｉアクセスポイントに関するトラヒック負荷情報を取得することと、
オフロードガイダンス情報を前記ｅＮｏｄｅＢから１つ又は複数のＵＥに送信することと
を備え、
前記オフロードガイダンス情報は、前記１つ又は複数のＵＥが、特定の確率で前記１つ又は複数のＵＥのトラヒックフローをオフロードすることを前記ｅＮｏｄｅＢに要求するように構成される、方法。
【請求項１８】
少なくともいくつかのＵＥトラヒックフローを前記ｅＮｏｄｅＢから前記１つ又は複数のＷｉ−Ｆｉアクセスポイントのうちの１つのＷｉ−Ｆｉアクセスポイントに移す要求を、前記１つ又は複数のＵＥのうちの１つのＵＥから受信することをさらに備える、請求項１７に記載の方法。
【請求項１９】
オフロードガイダンス情報を送信することは、前記１つ又は複数のＵＥに確率的オフロードシードを送信することを含む、請求項１７又は１８に記載の方法。
【請求項２０】
オフロードガイダンス情報を送信することは、１つの確率でＵＥトラヒックフローを前記ｅＮｏｄｅＢから前記Ｗｉ−Ｆｉアクセスポイントにオフロードすることを示す緊急指標を送信することを含む、請求項１７から１９の何れか一項に記載の方法。
【請求項２１】
オフロードガイダンス情報を送信することは、前記オフロードガイダンス情報を前記１つ又は複数のＵＥにブロードキャストすることを含む、請求項１７から２０の何れか一項に記載の方法。
【請求項２２】
オフロードガイダンス情報を送信することは、前記オフロードガイダンス情報を前記１つ又は複数のＵＥのうちの１つのＵＥにユニキャストすることを含む、請求項１７から２０の何れか一項に記載の方法。
【請求項２３】
受信信号強度指標、信号対ノイズ比、ミスしたビーコンの割合、速度、位置、フレーム若しくはパケットエラーレート、又は、データレートのうちの１つ又は複数を含む測定をする要求を、前記１つ又は複数のＵＥのうちの１つのＵＥに対して送信することをさらに備える、請求項１７から２２の何れか一項に記載の方法。
【発明の詳細な説明】
【技術分野】
【０００１】
本願は、２０１２年１１月２８に出願された米国特許出願番号１３／６８７，４４２、及び２０１２年７月２日に出願された米国特許出願番号６１／６６７，３２５の優先権に関する便益を主張し、これらはその全体をここで参照により援用される。
【０００２】
本開示は概して通信ネットワークに関し、より詳細には、通信ネットワークにおけるトラヒックを管理することに関する。
【背景技術】
【０００３】
歴史的に、通信ネットワークは、独立して規格化され、開発され、展開され及び動作されてきた。複数の通信技術は、クライアントデバイス及び通信インフラにおいて多様な通信技術が織り交ぜられる。これにより、無線広域ネットワーク（ＷＷＡＮ）、無線ローカルエリアネットワーク（ＷＬＡＮ）、及び無線パーソナルエリアネットワーク（ＷＰＡＮ）上の使用及び混雑レベルが増加しうる。
【図面の簡単な説明】
【０００４】
必ずしも縮尺通りに描写しているものではない図面において、類似の参照番号は、異なる観点における同様のコンポーネントを示し得る。異なる文字サフィックスを有する類似の参照番号は、同様のコンポーネントの異なる例を示し得る。図面は概して、本文書に示された様々な実施形態を、限定のためでなく例として図示している。
【図１】通信ネットワークの例を示す。
【図２】１つの通信ノードから他へと複数のデバイスをオフロードする技術の例を示す。
【図３】技術を実施するためのコンピュータの例を示す。
【発明を実施するための形態】
【０００５】
以下の発明を実施するための形態において、その部分を形成する添付の図面が参照される。ここで、発明主題が実施され得る例示特定実施形態を示す。これらの実施形態は、当業者が実施できるのに十分なほど詳細に記載される。その他の実施形態が利用されてもよく、構造的、論理的、及び電気的変更が、発明主題の範囲を逸脱しない範囲においてなされてもよいことを理解されたい。発明主題のそのような実施形態は、個別に及び／又は集合的に、単に利便上のために且つ実際に１より多くの実施形態が開示されている場合に特定の１つの発明又は発明概念に本願の範囲を限定する意図なしに、「発明」との用語によってここに参照され得る。よって、以下の記載は、限定的意図ととらえるべきではなく、発明主題の範囲は添付の特許請求の範囲によって規定される。
【０００６】
ＷＷＡＮ及びＷＬＡＮ／ＷＰＡＮシステムにおける使用及び混雑の増加が、無線アクセスネットワーク（ＲＡＮ）レベル最適化を含み得る共同通信ネットワーク上で稼働させることの動機となっている。混雑の緩和を促進する解決策は、ネットワークに接続された１つ又は複数のデバイスに対するネットワークガイド（例えば、方向付け又はアシスト）トラヒックオフロードを含み得る。これは、アイドルモードにおける複数のデバイスに対してオフロードガイダンス情報をブロードキャストすることを含み得る。
【０００７】
ここに概して示すものは、第１通信ノードから第２通信ノードへと１つ又は複数のデバイスからトラヒックをオフロードするためのシステム及び技術である。例えば、第１通信ノードは、第２通信ノードとは異なる無線アクセス技術（ＲＡＴ）を用いる。例えば、第１通信ノードは、ロングタームエボリューション（ＬＴＥ）拡張型ノードＢ（ｅＮｏｄｅＢ）であってもよく、第２通信ノードは、Ｗｉ−Ｆｉアクセスポイント（ＡＰ）であってもよい。ｅＮｏｄｅＢは、ｅＮｏｄｅＢのカバレッジエリア内の１つ又は複数のＷｉ−Ｆｉアクセスポイントのトラヒック負荷情報を取得し、対応するオフロードガイダンス情報を生成するように構成された処理回路を含んでもよい。トラヒック負荷情報は、１つ又は複数のＷｉ−Ｆｉアクセスポイント上のユーザ機器（ＵＥ）トラヒックフローに関する情報を含む。ｅＮｏｄｅＢは、１つ又は複数のＵＥにオフロードガイダンス情報を送信するように構成され、且つ、ＵＥトラヒックフローの少なくともいくつかを複数のＷｉ−Ｆｉアクセスポイントの１つへと移す要求を、複数のＵＥの少なくとも１つから受信するように構成された送受信機を含んでもよい。
【０００８】
考えられる解決策は、ＷＷＡＮ及びＷＬＡＮにわたるトラヒック（例えば、アプリケーション又はデバイスフロー）オフロードをアシスト又は管理するために、接続された又はアイドル状態の複数のデバイスに対してブロードキャスト、マルチキャスト、又はユニキャストすることを含み得る。そのような解決策は、個別のデバイス又は同時に複数のデバイスの１つ若しくは複数のグループからトラヒックをオフロードすることを含み得る。ネットワークは、トラヒックオフロードをするために、トラヒック属性又はトラヒックサジェスション等のオフロードガイダンス情報を送信してもよい。オフロードは、無線リソース制御（ＲＲＣ）信号によって管理されてもよい。オフロードは、例えば、複数のデバイスに、１つの通信ノードを用いる１つから他の通信ノードへと特定の確率を用いて切り替えをさせるために、統計的又は段階的であってもよい。オフロードは、ＷＷＡＮ又はＷＬＡＮ／ＷＰＡＮから又はへのものであり得る。オフロードは、オフロードされるべきアプリケーション又はフローのサービス品質（ＱｏＳ）クラス（例えばサービスフロータイプ）の機能であってもよい。
【０００９】
図１に、第１又は第２ネットワーク１０４Ａ〜Ｂに通信可能に結合された複数のデバイス１０２Ａ〜Ｅを含み得る通信ネットワークシステム１００の例を示す。ネットワーク１０４Ａ〜Ｂは、複数の（例えば、１つ又は複数のセットの）通信ノード１０６Ａ〜Ｄ（例えば、ｅＮｏｄｅＢ又はＡＰ）を含んでもよい。ネットワーク１０４Ａは、ＷＷＡＮであってもよく、ネットワーク１０４Ｂは、ＷＬＡＮであってもよい。ネットワーク１０４Ａ及び１０４Ｂは、有線又は無線接続等を介して通信可能に結合されてもよい。ネットワーク１０４Ａ及び１０４Ｂは、互いにトラヒック負荷情報を共有してもよい。ｅＮｏｄｅＢ又はＡＰ等の通信ノード１０６Ａ〜Ｄは、無線送受信機と、制御モジュールと、通信ノードのカバレッジエリア内の複数の通信ノード１０６に関するトラヒック負荷情報を受信し、トラヒック負荷情報の機能としてオフロードガイダンス情報又は電源を生成するように構成された処理回路とを含んでもよい。トラヒック負荷情報は、それぞれの通信ノード１０６上のＵＥトラヒックフローに関する情報を含んでもよい。通信ノード１０６Ａ〜Ｄは、通信ネットワーク１０４のアクセスポイントであってもよい。
【００１０】
デバイス１０２（例えばＵＥ）は、スマートフォン又は携帯情報端末（ＰＤＡ）等のモバイルデバイス１０２Ａ〜Ｃであってもよく、デスクトップコンピュータ１０２Ｄであってもよく、タブレット等のラップトップコンピュータ１０２Ｅであってもよい。デバイス１０２は、デバイス１０２によって実装され得るデバイス１０２のメモリに格納される１つ又は複数のポリシーを含んでもよい。例えば、ポリシーは、デバイス１０２が目下結合されている１つのネットワークとは異なるネットワーク１０４を用いてデバイス１０２が通信すべきである場合のための規則又はガイドラインを含んでもよい。デバイス１０２は、情報（例えばオフロードガイダンス情報又はその他のデータ）を通信ノード１０６（例えば無線アクセスネットワーク）に送信し、且つ、情報を通信ノード１０６から受信してもよい。デバイス１０２によって送信される情報は、デバイス１０２の１つ又は複数のトラヒックフローを異なる通信ノード１０６に移す要求を含んでもよい。通信ノード１０６から受信した情報は、オフロードガイダンス情報を含んでもよい。デバイス１０２を用いて情報を送受信することは、デバイス１０２の送受信機を用いることを含んでもよい。
【００１１】
通信ノード１０６等のネットワーク１０４からデバイス１０２への通信は、専用（例えばユニキャスト）、マルチキャスト又はブロードキャスト信号等の様々な信号スキームを用いてもよく、ＷＷＡＮ、ＷＬＡＮ、ＷＰＡＮ、又はセルラーネットワーク等の様々な異なるネットワーク１０４タイプにわたってもよい。専用信号スキームは、ネットワーク１０４に結合された１つのデバイス１０２に通信が送信されるべきときに用いられてもよい。マルチキャストは、ネットワーク１０４に結合された複数のデバイス１０２に通信が送信されるべきときに用いられてもよい。ブロードキャスト信号は、ネットワーク１０４に結合された及び／又はアイドルモードである複数のデバイス１０２に通信が送信されるべきときに用いられてもよい。ブロードキャストは、第３世代パートナーシッププロジェクト（３ＧＰＰ）ＬＴＥネットワークにおけるＳＩＢ４等の新たに規定されたＳＩＢ、拡張ＳＩＢ、又は、既存のＳＩＢに対する拡張等のシステム情報ブロック（ＳＩＢ）メッセージを含んでもよい。
【００１２】
ネットワーク１０４の通信ノード１０６から等のネットワーク１０４からのオフロードガイダンス情報が、通信ノード１０６上の負荷状態（例えばトラヒック）が変化する又は変化するであろうことを示す場合に、デバイス１０２は、オフロードガイダンスデータの機能として異なるポリシーを実行してもよい。デバイス１０２は、負荷レベル、緊急状態、又はトラヒック状態における予期される変化を示すオフロードガイダンスデータの機能としてポリシーを切り替えてもよい。例えば、デバイス１０２がスポーツゲーム、会議、又はバス／電車の駅等の特定のイベントに又は近くにある場合に、又は、デバイス１０２が電車の駅を去りゆく若しくはに近づいている高速の電車内にある場合に、ネットワーク１０４又は通信ノード１０６は、ネットワーク１０４又は通信ノード１０６上のトラヒック状態の変化が近づいていることを伝えるために、デバイス１０２に対して情報を通信してもよい。そのような構成によって、デバイス１０２にコンテクスト関連ポリシーを実行させることができる。オフロードガイダンス情報は、オフロードガイダンス情報を受信するデバイス１０２がどのポリシーを実行すべきかを示すインデックスを含んでもよい。
【００１３】
通信ノード１０６は、管理された又はグループのオフロードを実行してもよい。管理された又はグループのオフロードは、マルチキャスト、ブロードキャスト又は専用信号を用いて達成されてもよい。オフロードは、インターフェースを用いたデバイス１０２からのトラヒックの少なくともいくつかを他のインターフェースに切り替えることができるように、（例えば、既定の無線インターフェース上を通るフローにわたる）インターフェース層において行われてもよく、又は、通信ノード１０６を用いた１つ又は複数のアプリケーションのトラヒックフローの機能として行われてもよい。例えば、ＷＷＡＮ（例えばＬＴＥ）ネットワーク１０４Ａ又は通信ノード１０６Ａを用いた頻繁的、周期的同期を有するアプリケーションは、ＷＬＡＮ（例えばＷｉ−Ｆｉ)ネットワーク１０４Ｂ又は通信ノード１０６Ｂに切り替えられてもよい。切り替えることにより、通信ノード１０６Ａ上の全ての通信、特定のフローだけ（例えば、特定のＱｏＳクラスのフロー）、又は、遷移する周期的同期を要するアプリケーションをもたらしてもよい。そのような技術によって、そのようなアプリケーションに関連したＷＷＡＮ信号オーバヘッドを減らすことができる。オフロードは、デバイス１０２トラヒックに関連したＱｏＳクラスの機能であってもよい。例えば、より低い優先度を持つ処理はオフロードされないが、デバイス１０２上で動作するアプリケーション等のより高い優先度を有する処理は、より混雑の少ない通信ノード１０６へとオフロードされてもよい。より高い優先度を有するアプリケーション又はフロー（例えば、より高いＱｏＳクラス識別子を有するアプリケーション又はフロー）の例は、ビデオ会議又はテレビ会議等を含んでもよい。より低い優先度を有するアプリケーション又はフロー（例えば、より低いＱｏＳクラス識別子を有するアプリケーション又はフロー）の例は、ファイルダウンロード又はインターネットブラウジングを含んでもよい。
【００１４】
通信ノード１０６のメモリ記憶デバイスに実装されたポリシーは、確率的負荷バランス機能を実装してもよい。確率的負荷バランス機能を用いたある確率で、１つ又は複数のデバイス１０２は、ＷＬＡＮ通信ノード１０６Ｂから／へのＷＷＡＮ通信ノード１０６Ａへの／からのそれらのトラヒックをオフロードする（例えば移す又は遷移する）ことができる。当確率は、ネットワーク１０４又は通信ノード１０６から送信される確率的オフロードシードを用いて決定されてもよい。管理された若しくはグループオフロードと同様に、確率的負荷バランスは、インターフェース層において実行されてもよく、又は、フロー（例えば、混雑、過負荷等）、通信ノード１０６を用いたアプリケーションのタイプ、又は、通信ノード１０６を用いたアプリケーションのＱｏＳクラス等のＱｏＳクラスの機能として実行されてもよい。
【００１５】
通信ノード１０６は、１つ又は複数のＵＥにオフロードガイダンス情報を送信するように構成された送受信機を含んでもよい。送受信機は、ＵＥが、通信ノード１０６のそのトラヒックフローの少なくともいくつかを移すことを望んでいることを示す指標又は要求を含む情報をＵＥから受信するように構成されてもよい。
【００１６】
ネットワーク１０４又は通信ノード１０６は、測定すること又はそのトラヒックを他のネットワーク１０４又は通信ノード１０６に切り替えること等のアクションをデバイスに実行させることを促してもよい。測定対象は、受信信号強度指標（ＲＳＳＩ）、信号対ノイズ比（ＳＮＲ）、ミスしたビーコンの割合、速度、位置、フレーム又はパケットエラーレート（ＦＥＲ又はＰＥＲ）、データレート等であってもよい。デバイス１０２上に実装されるポリシーによって、測定又はサジェスションの機能として、デバイス１０２が、そのトラヒックのいくつか又は全てを、他の通信ノード１０６にオフロードするであろうかどうかを判断することができる。管理された又はグループオフロードと同様に、促された測定又はハンドオーバは、インターフェース層において実行されてもよく、又は、フロー、通信ノード１０６を用いた１つ又は複数のアプリケーション、若しくは、関連したＱｏＳクラスの機能として実行されてもよい。
【００１７】
通信ノード１０６は、緊急フラッグの機能など、少なくともいくつかのトラヒックを代替通信ノード１０６に無条件に移すことを強いるポリシーを実行してもよい。緊急フラッグが緊急状況（例えば、災害状況、ネットワーク１０４のダウンタイムの存在、又は、通信ノード１０６が少なくとも一時的に動作不能又は大部分が動作不能等）を示す場合に、ネットワーク又は通信ノード１０６は、他のネットワーク１０４又は通信ノード１０６への切り替えをデバイス１０２に強いることができる。
【００１８】
ネットワーク１０４は、通信ノード１０６のうちの１つ又は複数を介す等して、多種多様なオフロードガイダンス情報をデバイス１０２に提供してもよい。情報は、ネットワークオペレータ、ネットワーク１０４、ローカル状況、又は予測される（例えば予期された）混雑状況によって実行されるポリシーの機能として送信されてもよい。情報は、ユニキャスト（例えば専用信号）、マルチキャスト又はブロードキャスト信号を用いてデバイス１０２に提供されてもよい。
【００１９】
オフロードガイダンス情報は、ネットワーク１０４若しくは通信ノード１０６識別子、通信ノード１０６（例えばアクセスポイント）若しくはネットワーク優先レベル、無線パラメータ、測定要求、最小ＱｏＳクラス識別子、オフロードランダム化シード、切り替えヒステリシス変数（例えば値）、緊急フラッグ、対象通信ノード１０６上のトラヒック負荷レベル、又は、対象通信ノード１０６若しくはネットワーク１０４に対してアクセスするための認証若しくはその他の情報等のＷＬＡＮ若しくはＷＷＡＮネットワーク１０４情報を含んでもよい。ＡＰ（例えばアクセスポート）特定情報は、ＷＬＡＮ又はＷＷＡＮネットワーク識別子を含んでもよい。ＷＷＡＮネットワーク又は通信ノード識別子（例えばｅＮｏｄｅＢ識別子）は、セル識別子を含んでもよい。ＷＬＡＮネットワーク識別子は、サービスセット識別子（ＳＳＩＤ）、拡張ＳＳＩＤ（ＥＳＳＩＤ）又はホモジニアスＥＳＳＩＤ（ＨＥＳＳＩＤ）であってもよい。ＳＳＩＤ、ＥＳＳＩＤ又はＨＥＳＳＩＤは、オペレータ又はユーザ等によって、規定された又は提供されたアクセスネットワークディスカバリセレクション機能（ＡＮＤＳＦ）ＷＬＡＮネットワークプロファイルに準拠してもよい。ＥＳＳＩＤ又はその他のプロファイル識別子は、（例えばＡＮＤＳＦを介した）既存の設定プロファイルを参照して用いられてもよい。そのような構成により、プロファイルを決定又は生成することにおいてオーバヘッドを減らすことができ、プロファイルをプロビジョニングシステムに関係付けることができる。設定プロファイルに基づく識別子を用いることによって、ＲＡＮ基地局又はＷｉ−Ｆｉアクセスポイント等のネットワーク１０４又は通信ノード１０６が設定ポリシーの詳細を知る必要性を緩和することができる。ネットワーク識別子は、デバイス１０２がローミングしている状況において送信されてもよい。無線アクセスネットワーク（ＲＡＮ）基地局は、高速パケットアクセス（ＨＳＰＡ）又はユニバーサルモバイルテレコミュニケーションシステムテレストリアル無線アクセス（ＵＴＲＡ）ネットワークのＮｏｄｅＢ、又は、ＬＴＥ又は拡張ＵＴＲＡ（ＥＵＴＲＡ）３ＧＰＰネットワークのｅＮｏｄｅＢ等のＷＷＡＮの無線アクセスノードであってもよい。
【００２０】
アクセスポイント優先レベルは、２又はそれより多い優先レベルを含んでもよい。例えば、アクセスポイント優先レベルは、４つの異なる優先レベル（例えば、優先的、通常、非優先的、及びアクセス不可又はリザーブ）を特定する２桁の２進数であってもよい。優先レベルは、数量的であってもよく、無線負荷、バックホール負荷等に基づいてもよい。アクセスポイント優先レベルは、通信ノード１０６又はネットワーク１０４によって設定されてもよい。いくつかの実施例において、他の通信ノード１０６へ移すことを推奨又は促すことは、転送されるべき通信ノード１０６を特定することを含まない。デバイス１０２のアクセスポイント優先レベル又はサービスプロバイダ契約が、どの通信ノード１０６にデバイス１０２がオフロードされるべきか又は遷移されるべきかを決定するために用いられてもよい。通信ノード１０６は、推奨、発見及び優先化、又は、非優先化されてもよく、デバイス１０２は、これに従って、どれに遷移するかを選択してもよい。例えば、ロングタームエボリューション（ＬＴＥ）プロバイダ（例えば、ローミング又はホーム）は、Ｗｉ−Ｆｉ通信ノード１０６Ｂ及び１０６Ｄを優先化又は非優先化してもよく、ＡＰ優先レベル等のパラメータ、又はどの通信ノード１０６に切り替えるかを決定するための１つ又は複数の無線パラメータを用いてもよい。通信ノード１０６Ｃは、近くの通信ノード１０６Ｄ及びその関連したトラヒックデータ（例えばオフロードガイダンス情報）に関する情報を集めることをデバイス１０２に要求してもよい。デバイス１０２は、この情報の機能として、そのトラヒックの少なくともいくつかを通信ノード１０６Ｄに切り替えるか否かを決定してもよい。
【００２１】
オフロードガイダンス情報は、用いられるべきデバイス上に予め提供されたオフロードポリシーに対するインデックスを含んでもよい。インデックスは、動的トラヒック負荷、緊急状態、又は、その他のオフロードガイダンス情報等のデバイス１０２と通信する通信ノード１０６若しくはネットワーク１０４によって決定され得るその他の考慮に基づいて決定されてもよい。デバイス１０２上のポリシーは、ネットワーク１０４上のデバイス１０２トラヒックを目下使用のとおり継続させるポリシー、又は、デバイス１０２トラヒックをより混雑していないネットワーク１０４又は通信ノード１０６に切り替えようとするポリシー等、様々な特性を含んでもよい。
【００２２】
オフロードガイダンス情報に含まれ得る無線パラメータは、特定の対象通信ノード１０６識別子、対象通信ノード１０６で許容される周波数帯域、対象通信ノード１０６上のトラヒック負荷レベル、又は、通信ノード１０６の最大データレートを含んでもよい。ここで用いたとおり、「対象通信ノード」とは、ＵＥがそのトラヒックをオフロードすることができるであろう通信ノード１０６を意味する。
【００２３】
測定要求は、デバイス１０２が測定情報を通信ノード１０６に送信すべきであることを示してもよい。測定要求は、受信信号強度指標（ＲＳＳＩ）、信号対ノイズ比（ＳＮＲ）、ミスしたビーコンの割合、速度、位置、フレーム若しくはパケットエラーレート（ＦＥＲ若しくはＰＥＲ）、又はその他の測定を要求してもよい。測定要求は、トリガ状態が生じた時に又はその近くでデバイス１０２に送信されてもよい。例えば、デバイス１０２は、定期的に、或いは、ＰＥＲ若しくはＦＥＲが閾値を超えた、又は、ＲＳＳＩがある期間に対して閾値を下回った場合に基づいて、測定レポートを提供するように構成されてもよい。
【００２４】
最小ＱｏＳクラス識別子は、オフロードされるべきトラヒックの最小ＱｏＳクラス識別子を示してもよい。例えば、最小ＱｏＳクラス識別子が、通常優先度を有するアプリケーション又はフローがオフロードされるべきと示している場合には、通常ＱｏＳクラス識別子又はそれより高いもの（例えば、高い優先度がこのグループに含まれてもよい）を有する全てのデバイス又はアプリケーションがオフロードされてもよい。最大ＱｏＳクラス識別子は、さらに又は代わりに、どのデバイス１０２トラヒック通信ノード１０６が処理するのに適しているかを判断するために用いられてもよい。
【００２５】
最小ＱｏＳクラス識別子又は最大ＱｏＳクラス識別子、及びオフロードシード（例えば、確率的オフロードシード）は、互いに共同して、１つの通信ノード１０６から他へと、入力の又は出力のフロー又はデバイス１０２トラヒックを増加又は減少するように設定されてもよい。ＱｏＳクラス識別子は、ＷＷＡＮ（例えばＬＴＥ）に規定されたものと同じであってもよい。ＱｏＳクラス識別子又はオフロードシードは、絶対確実等のかなり高い確かさで、少なくともいくつかのデバイス１０２トラヒックを他の通信ノード１０６Ｄに移す又は元の通信ノード１０６Ｃに戻すように、極値に設定されてもよい。オフロードシードを用いて算出される数は、最小ＱｏＳクラス識別子を上回るアプリケーション又はその他の処理を、他の通信ノード１０６にデバイス１０２が切り替えるかどうか決定してもよい。
【００２６】
切り替えヒステリシスは、元の通信ノード１０６に切り替わることを防ぐ働きをすべく、同じ無線ネットワーク又は通信ノード１０６上に留まるようなバイアスを用いる等して、乱数を再計算するために、新しい通信ノード１０６にオフロードされるデバイス１０２によって用いられてもよい。そのようなパラメータにより、ＷＷＡＮ通信ノード１０６ＡとＷＬＡＮ通信ノード１０６Ｂとの間のトラヒックの不要な切り替えの確率を減らすことができる。代替的に又は追加的に、切り替えヒステリシスは、デバイス１０２トラヒックが、他の通信ノード１０６に切り替えられ得る前に、目下用いている通信ノード１０６を用いる必要がある時間の最小量を含んでもよい。
【００２７】
緊急フラッグは、デバイス１０２が通信ノード１０６サジェスションに無条件に従わなければならないことをデバイス１０２に対して示してもよい。例えば、ＷＷＡＮネットワーク１０４Ａアクセスが利用できなくなりそうなこと、及び、そのトラヒックをＷＬＡＮネットワーク１０４Ｂに切り替える必要があることを示す緊急フラッグを１つのデバイス１０２Ａに送信してもよい。１つ又は複数の実施形態において、緊急フラッグは、デバイスが、他の通信ノード１０６又はネットワーク１０４に無条件に切り替える必要があることを示すために、複数のデバイス１０２に対してマルチキャスト又はブロードキャストされてもよい。
【００２８】
オフロードガイダンス情報は、１つの特定デバイス１０２に適合してもよく、オフロードガイダンス情報が送信される全てのデバイス１０２に対して同じであってもよい。例えば、ネットワーク識別子、通信ノード１０６優先レベル、無線パラメータ、又は最小ＱｏＳクラス識別子は、複数のデバイス１０２に対して均等に送信されてもよい。１つ又は複数の実施形態においては、オフロードシード、切り替えヒステリシス、又は、ポリシーインデックスは、１つの特定デバイス１０２に対して個別化されてもよい。
【００２９】
図２に、通信ネットワーク１０４からデバイス１０２をオフロードするための技術２００の例を示す。２０２において、１つ又は複数のＷｉ−Ｆｉアクセスポイントに関するトラヒック負荷情報が取得されてもよい。２０４において、オフロードガイダンス情報がｅＮｏｄｅＢから１つ又は複数のＵＥに送信されてもよい。オフロードガイダンス情報は、ネットワーク１０４又は通信ノード１０６から２又はそれより多いデバイス１０２Ａ〜Ｂに送信されてもよい。オフロードガイダンス情報は、第１ネットワーク１０４（例えば通信ノード１０６）上の通信トラヒックに対応してもよく、特定の確率で通信する第２ネットワーク１０４を用いることのサジェスションを含んでもよい。オフロードガイダンス情報を送信することは、緊急フラッグを送信することを含んでもよい。緊急フラッグが送信された場合に、第２ネットワークを用いることのサジェスションは、１つのある確率で第２ノードを用いることのサジェスションを含んでもよい。送信されるオフロードガイダンスデータは、ここに記したネットワーク１０４又は通信ノード１０６からデバイス１０２に送信される情報を含んでもよい。２又はそれより多いデバイス１０２のうちのデバイス１０２は、オフロードガイダンス情報の機能として、第１ネットワーク１０４又は通信ノード１０６から第２ネットワーク１０４又は通信ノード１０６にトラヒックをオフロードしてもよい。オフロードは、オフロードガイダンス情報に含まれたオフロードシードの機能として算出された数と、オフロードされるべきデバイスに関連したポリシーに規定された閾値とを比較する機能として行なわれてもよく、又は、デバイス１０２上で動作するアプリケーションのＱｏＳクラス識別子の機能として行われてもよい。
【００３０】
デバイス１０２をオフロードすることは、目下用いられている又はトラヒックが切り替えられるネットワーク１０４又は通信ノード１０６にハンドオーバ信号を送信すること等によって、オフロードを開始するデバイス１０２によって達成されてもよい。次に、目下用いられているネットワーク１０４又は通信ノード１０６は、トラヒックをデバイス１０２からその他のネットワーク１０４又は通信ノード１０６に移してもよい。Ｗｉ−Ｆｉネットワーク１０４Ｂ又は通信ノード１０６Ｂ、１０６Ｄの場合には、ネットワーク１０４Ｂ又は通信ノード１０６Ｂ、１０６Ｄは、ネットワーク１０４Ｂ又は通信ノード１０６Ｂ、１０６Ｄに又はからオフロードを承認してもよい。デバイス１０２は、デバイス１０２がそのトラヒック（例えばフロー又はアプリケーション）を異なる通信ノード１０６又はネットワーク１０４に切り替えることを望んでいるかどうかを判断してもよい。デバイス１０２はまた、そのトラヒックがどの通信ノード１０６又はネットワーク１０４に切り替えられるかを判断してもよい。
【００３１】
図３は、ＵＥ又はＲＡＮ基地局に実装されるコンピュータシステム等の、ここに記した１つ又は複数の技術が実行され得る例示的なコンピュータシステム機械を示すブロック図である。コンピュータシステム３００は、デバイス１０２（図１）の動作を提供するコンピューティングデバイスとして形成されてもよく、ここに記載したその他の処理又はコンピューティングプラットフォーム又はコンポーネントとして形成されてもよい。代替の実施形態において、機械は、スタンドアロンデバイスとして動作してもよく、又は、その他の複数の機械に接続され（例えばネットワーク接続）てもよい。ネットワーク展開において、機械は、サーバ−クライアントネットワーク環境におけるサーバ若しくはクライアント機械の能力で動作してもよく、又は、ピアツーピア（若しくは分配型）ネットワーク環境におけるピア機械として動作してもよい。コンピュータシステム機械は、ポータブルでもよくそうでなくてもよい（例えばノートブック又はネットブック）パーソナルコンピュータ（ＰＣ）、タブレット、セットトップボックス（ＳＴＢ）、ゲームコンソール、携帯情報端末（ＰＤＡ）、携帯電話若しくはスマートフォン、ウェブアプライアンス、ネットワークルータ、スイッチ又はブリッジ、又は、機械によって実行されるべきアクションを特定する命令を実行（シーケンシャル又はそれ以外）することができる機械であってもよい。さらに、１つの機械だけを説明するが、「機械」との用語は、ここに記した手法の１つ又は複数を実行するために一連の（又は複数のセットの）命令を個別に又は連帯して実行する機械の如何なる集合も含むものとみなされるべきである。
【００３２】
例示的なコンピュータシステム３００は、相互接続３０８（例えばリンク、バス等）を介して互いに通信する、プロセッサ３０２（例えば、中央処理装置（ＣＰＵ）、グラフィクスプロセッシングユニット（ＧＰＵ）又はその両方）、メインメモリ３０４、及びスタティックメモリ３０６を含む。コンピュータシステム３００はさらに、ビデオディスプレイ装置３１０、英数字入力デバイス３１２（例えばキーボード）、及びユーザインタフェース（ＵＩ）ナビゲーションデバイス３１４（例えばマウス）を含んでもよい。１つの実施形態において、ビデオディスプレイ装置３１０、入力デバイス３１２及びＵＩナビゲーションデバイス３１４は、タッチスクリーンディスプレイである。コンピュータシステム３００はさらに、記憶デバイス３１６（例えばドライブユニット）、信号生成デバイス３１８（例えばスピーカ）、出力コントローラ３３２、電力管理コントローラ３３４、及び（１つ又は複数のアンテナ３３０、送受信機、又はその他の無線通信ハードウェアを含み又はと動作可能に通信し得る）ネットワークインターフェースデバイス３２０、並びに、ＧＰＳセンサ、コンパス、位置センサ、加速度計、又はその他のセンサ等の１つ又は複数のセンサ３２８を含んでもよい。
【００３３】
記憶デバイス３１６は、ここに記した１つ又は複数の手法又は機能によって具体化又は利用される１つ又は複数のセットのデータ構造及び命令３２４（例えばソフトウェア）が格納される機械可読媒体３２２を含む。命令３２４はまた、メインメモリ３０４、スタティックメモリ３０６、及び、機械可読媒体をまた構成するプロセッサ３０２を用いて、コンピュータシステム３００によるその実行中には、メインメモリ３０４、スタティックメモリ３０６及び／又はプロセッサ３０２内に、完全に又は少なくとも部分的に存在してもよい。
【００３４】
機械可読媒体３２２は、１つの媒体に対する例示的な実施形態として説明するが、「機械可読媒体」との用語は、１つ又は複数の命令３２４を格納する１つの媒体又は複数の媒体（例えば、集中又は分配型データベース、及び／又は、関連キャッシュ及びサーバ）を含んでもよい。「機械可読媒体」との用語はまた、機械によって実行するための命令を格納、符号化又は搬送することができ、本開示の手法の１つ又は複数を機械に実行させる、又は、そのような命令に利用される又は関連したデータ構造を格納、符号化若しくは搬送することができる有形の媒体を含むとみなされるべきである。「機械可読媒体」との用語は、従って、ソリッドステートメモリ、光学媒体及び磁気媒体に限定されるわけではないが、これらを含むものとみなされるべきである。機械可読媒体の特定の例は、例として、半導体メモリデバイス（例えば電気的プログラム可能ロム（ＥＰＲＯＭ）及び電気的消去可能プログラマブルＲＯＭ（ＥＥＰＲＯＭ））を含む不揮発性メモリ、フラッシュメモリデバイス、内部ハードディスク及びリムーバブルディスク等の磁気ディスク、磁気光ディスク、並びに、ＣＤ−ＲＯＭ及びＤＶＤ−ＲＯＭディスクを含む。
【００３５】
命令３２４はさらに、公知の多数の転送プロトコル（例えばＨＴＴＰ）の１つを利用するネットワークインターフェースデバイス３２０を介して伝送媒体を用いた通信ネットワーク３２６上で送信又は受信されてもよい通信ネットワークの例は、ローカルエリアネットワーク（ＬＡＮ）、広域ネットワーク（ＷＡＮ）、インターネット、携帯電話ネットワーク、アナログ電話（ＰＯＴＳ）ネットワーク、及び無線データネットワーク（例えば、Ｗｉ−Ｆｉ、３Ｇ及び４ＧＬＴＥ／ＬＴＥ−Ａ又はＷｉＭＡＸ（登録商標）ネットワーク）を含む。「伝送媒体」との用語は、機械によって実行される命令を格納、符号化若しくは搬送することができ、デジタル若しくはアナログ通信信号を含む無形の媒体、又は、そのようなソフトウェアの通信を促進するその他の無形の媒体を含むものとみなされるべきである。
【００３６】
その他の適用可能なネットワーク構成が、ここに記した通信ネットワークの範囲内に含まれ得る。実施形態をローカルエリア無線ネットワーク構成及び広域インターネットネットワーク接続を参照して示したが、通信はまた、有線又は無線伝送媒体の組み合わせを用いて、いくつものパーソナルエリアネットワーク、ＬＡＮ及びＷＡＮを用いて促進されてもよい。
【００３７】
上述の実施形態は、ハードウェア、ファームウェア及びソフトウェアの１つ又は組み合わせで実行されてもよい。例えば、サジェスションエンジンは、ソフトウェア実行によってオペレーティングシステムを稼働するサーバを含んでもよい。ここに記したいくつかの実施形態は１つの機械又はデバイスを説明したが、「システム」、「機械」又は「デバイス」との用語はまた、ここに記した手法の１つ又は複数を実行する一連の（又は複数のセットの）命令を個別に又は連帯して実行する機械又はデバイスの如何なる集合も含むものとみなされるべきである。
【００３８】
実施形態はまた、ここに記した動作を実行するために少なくとも１つのプロセッサによって読み出される及び実行される、コンピュータ可読記憶デバイス又は記憶媒体上に格納された命令として実行されてもよい。コンピュータ可読記憶デバイス又は記憶媒体は、機械（例えばコンピュータ）に読み出し可能な形式で情報を格納するための持続性メカニズムを含んでもよい。例えば、コンピュータ可読記憶デバイス又は記憶媒体は、ロム（ＲＯＭ）、ランダムアクセスメモリ（ＲＡＭ）、磁気ディスク記憶媒体、光記憶媒体、フラッシュメモリデバイス、並びに、その他の記憶デバイス及び媒体を含んでもよい。いくつかの実施形態では、ここに記した電子デバイス及びコンピューティングシステムは、１つ又は複数のプロセッサを含んでもよく、コンピュータ可読記憶デバイス上に格納された命令とともに構成されてもよい。
【００３９】
ここに記したとおり、実施形態は、ロジック又は多数のコンポーネント、モジュール若しくはメカニズムを含んでもよく、又は、これら上で動作してもよい。モジュールは、特定の動作を実行することができる有形のエンティティ（例えばハードウェア）であり、構成されてもよく、又は特定の様態で構成されてもよい。実施例において、回路は、（例えば、その他の回路等の外部のエンティティの内部に又はに対して）モジュールとして特定の様態で構成されてもよい。実施例において、１つ又は複数のコンピュータシステム（例えば、スタンドアロン、クライアント又はサーバコンピュータシステム）或いは１つ又は複数のハードウェアプロセッサの全て又は部分は、特定の動作を実行するために動作するモジュールとして、ファームウェア又はソフトウェア（例えば、命令、アプリケーション部分又はアプリケーション）によって構成されてもよい。実施例において、ソフトウェアは、機械上に存在してもよい。
【００４０】
１つ又は複数の実施形態の利点は、通信ノード１０６上の混雑を低減することを含む。他の利点は、ネットワーク１０４及び通信ノード１０６上の予期又は予測される今後のトラヒック状態についてのデバイス１０２及び通信ノード１０６の認識を増加することを含み得る。他の利点は、特定のＱｏＳクラス識別子を有するアプリケーション又はデバイスに対する通信ネットワーク１０４のアクセスをより信頼できるものにすることを含み得る。
【００４１】
他の利点は、適切なポリシーをローカルキャッシュから選択するためにデバイス１０２を支援することに有用なコンテクストを提供する能力をデバイス１０２に提供することを含み得る。例えば、通信ノード１０６は、それに通信可能に結合された又はその近くのデバイス１０２にコンテクスト理解を知らせることができるノードトラヒックデータを介して、エリアのより高いコンテクスト理解を有することができる。例えば、通信ノード１０６は、ローカルＷｉ−Ｆｉを有し出発又は到着しようとしている電車上にデバイスが存在するような、又は、離陸又は着陸しようとしている飛行機上にデバイスが存在するような（例えば、無線を遮断することが要求されるような）、通信可能に結合された又は近くのデバイス１０２に対してデータを送信することができる。そのようなシステムは、ネットワーク１０４における信号対ペイロード過負荷に可視性を提供することができる。そのようなシステムはまた、通信ノード１０６に直接関連していないデバイス１０２による情報（例えば、ノードトラヒックデータ）のシェアリングを提供することができる。
【００４２】
他の利点は、強制命令ではなく、遷移に対するサジェスション又は確率的サジェスションをする通信ノード１０６を含み得る。そのようなサジェスションによって、デバイス１０２は、受信ノードトラヒックデータ又はその他の状態の機能として促された遷移に対して如何に応答するかについての決定を行うことができる。
【００４３】
他の利点は、ブロードキャスト又はマルチキャストメカニズムを用いる等して、グループ通信を用いることによって、情報（例えば、ノードトラヒックデータ、オフロードガイダンス情報、強制命令又はサジェスション（確率的又はその他））を共有することを含み得る。
【００４４】
他の利点は、コアネットワークに独立して情報を配信するために、より高い自律性を有する通信ノード１０６を含むシステムを生成することを含み得る。そのような構成によって、通信ノード１０６にローカルに利用可能であるローカルコンテクストを普及することができる。
【００４５】
他の利点は、デバイス１０２による電力消費を向上（例えば削減）することを含み得る。他の利点は、デバイス１０２のユーザ又はアクセスプロバイダに対するコストを削減することを含み得る。他の利点は、公衆安全使用モデルの向上した動作又は行政安全要件により容易に準拠することを含み得る。他の利点は、デバイス１０２通信の暗号化等のセキュリティ向上を含み得る。
【００４６】
補注及び追加例
【００４７】
例１において、ｅＮｏｄｅＢは、送受信機及び処理回路を含む。
【００４８】
例２において、例１に記載の処理回路は、ｅＮｏｄｅＢのカバレッジエリア内の１つ又は複数のＷｉ−Ｆｉアクセスポイントのトラヒック負荷情報を取得し、対応するオフロードガイダンス情報を生成するように構成されてもよい。
【００４９】
例３において、例１〜２の少なくとも１つに記載のトラヒック負荷情報は、１つ又は複数のＷｉ−Ｆｉアクセスポイント上のユーザ機器（ＵＥ）トラヒックフローに関する情報を含んでもよい。
【００５０】
例４において、例１〜３の少なくとも１つに記載の送受信機は、１つ又は複数のＵＥにオフロードガイダンス情報を送信するように構成され、少なくともいくつかのＵＥトラヒックフローを、ｅＮｏｄｅＢからＷｉ−Ｆｉアクセスポイントの１つに移す要求を、ＵＥの少なくとも１つから受信するように構成されてもよい。
【００５１】
例５において、例１〜４の少なくとも１つに記載のオフロードガイダンス情報は、１つ又は複数のＷｉ−ＦｉアクセスポイントのＷｉ−Ｆｉアクセスポイントに関する１つ又は複数のパラメータを表すデータを含む。パラメータは、（１）Ｗｉ−Ｆｉアクセスポイント識別子、（２）Ｗｉ−Ｆｉアクセスポイントに対するオフロード優先レベル、（３）Ｗｉ−Ｆｉアクセスポイント上のトラヒック負荷レベル、（４）Ｗｉ−Ｆｉアクセスポイント上で許容される周波数帯域、又は、（５）Ｗｉ−Ｆｉアクセスポイントの最大データレートのうちの１つ又は複数を含む。
【００５２】
例６において、例１〜５の少なくとも１つに記載のオフロードガイダンス情報は、複数のＵＥのうちの１つのＵＥがトラヒックを切り替える要求をすることができる１つ又は複数のＷｉ−Ｆｉアクセスポイントに対するオフロード優先レベルを含む。
【００５３】
例７において、例１〜６の少なくとも１つに記載のオフロードガイダンス情報は、ｅＮｏｄｅＢに影響されない共通ガイダンス情報を含む。共通ガイダンス情報は、（１）サービスクラス識別子の最小品質、（２）確率的オフロードシード、（３）緊急指標、（４）切り替えヒステリシス値、又は（５）ポリシーインデックスのうち１つ又は複数を含む。
【００５４】
例８において、例１〜７の少なくとも１つに記載のｅＮｏｄｅＢ上のトラヒックフローは、１つ又は複数のサービスフローを含み、オフロードガイダンス情報は、１つ又は複数のサービスフローのうちどのサービスフローがオフロードガイダンス情報を適用でき、特定アクセスポイントへの切り替え要求をすることができるかを示すサービスクラス識別子の最小品質を含む。
【００５５】
例９において、例１〜８の少なくとも１つに記載のオフロードガイダンス情報は、確率的オフロードシードを含む。確率的オフロードシードは、複数のＵＥからの１つ又は複数のトラヒックフローを１つのアクセスポイントにオフロードさせる確率を決定する乱数である。
【００５６】
例１０において、オフロードガイダンス情報は、１つ又は複数のＵＥのうちの１つのＵＥ上の複数のオフロードポリシーのうちの１つのオフロードポリシーに対するインデックスを含む。
【００５７】
例１１において、オフロードガイダンス情報は、ＵＥトラヒックフローをｅＮｏｄｅＢから複数のＷｉ−Ｆｉアクセスポイントのうちの１つのＷｉ−Ｆｉアクセスポイントに無条件に切り替える要求をすることをＵＥに示す緊急指標を含む。
【００５８】
例１２において、オフロードガイダンス情報は、切り替えヒステリシス値を含む。切り替えヒステリシス値は、ＵＥが、トラヒックのｅＮｏｄｅＢ又はＷｉ−Ｆｉアクセスポイントから及びへの切り替えを繰り返し要求することを防ぐように構成される。
【００５９】
例１３において、ＵＥは、ｅＮｏｄｅＢ又はＷｉ−Ｆｉアクセスポイントからオフロードガイダンス情報を受信するように構成された送受信機を含む。
【００６０】
例１４において、例１〜１３の少なくとも１つに記載のＵＥは、格納された１つ又は複数のオフロードポリシーを含むメモリを含む。
【００６１】
例１５において、例１〜１４の少なくとも１つに記載のＵＥは、ｅＮｏｄｅＢ又はＷｉ−Ｆｉアクセスポイント上のＵＥのトラヒックの少なくともいくつかを、Ｗｉ−Ｆｉアクセスポイント又はｅＮｏｄｅＢに、オフロードガイダンス情報及び１つ又は複数のオフロードポリシーの機能としてオフロードすることを、ｅＮｏｄｅＢ又はＷｉ−Ｆｉアクセスポイントに要求するように構成される。
【００６２】
例１６において、例１〜１５の少なくとも１つに記載のオフロードガイダンス情報は、１つ又は複数の確率的オフロードシード、緊急指標、ポリシーインデックス、又は切り替えヒステリシス値を含む。
【００６３】
例１７において、例１〜１６の少なくとも１つに記載のＵＥは、確率的オフロードシードの機能として乱数を算出し、ｅＮｏｄｅＢ又はＷｉ−Ｆｉアクセスポイントからのそのトラヒックの少なくともいくつかを乱数の機能としてオフロードすることを要求するように構成される。
【００６４】
例１８において、例１〜１７の少なくとも１つに記載の乱数が閾値を上回る場合に、ＵＥは、サービスクラス識別子の最小品質を有する又は上回るＵＥのトラヒックをオフロードする要求をｅＮｏｄｅＢ又はＷｉ−Ｆｉアクセスポイントに対して送信するように構成される。
【００６５】
例１９において、例１〜１８の少なくとも１つに記載の緊急指標は、ＵＥが、ｅＮｏｄｅＢ又はＷｉ−Ｆｉアクセスポイントからのそのトラヒックをオフロードすることを無条件に要求することを示す。
【００６６】
例２０において、例１〜１９の少なくとも１つに記載の切り替えヒステリシス値は、ＵＥトラヒックのｅＮｏｄｅＢ又はＷｉ−Ｆｉアクセスポイントから及びへのトラヒックの切り替えを繰り返し要求することを防ぐように構成される。
【００６７】
例２１において、例１〜２０の少なくとも１つに記載のポリシーインデックスは、１つ又は複数のオフロードポリシーのうちどのオフロードポリシーを実行するかをＵＥに対して示す。
【００６８】
例２２において、ｅＮｏｄｅＢからのＵＥトラヒックをオフロードする方法は、１つ又は複数のＷｉ−Ｆｉアクセスポイントに関するトラヒック負荷情報を取得することを含む。
【００６９】
例２３において、例１〜２２の少なくとも１つに記載の方法は、オフロードガイダンス情報をｅＮｏｄｅＢから１つ又は複数のＵＥへ送信することを含む。オフロードガイダンス情報は、ＵＥが、特定の確率でｅＮｏｄｅＢ上の１つ又は複数のＵＥのトラヒックフローをオフロードすることをｅＮｏｄｅＢに要求するように構成される。
【００７０】
例２４において、例１〜２３の少なくとも１つに記載の方法は、少なくともいくつかのＵＥトラヒックフローをｅＮｏｄｅＢから１つ又は複数のＷｉ−Ｆｉアクセスポイントのうちの１つのＷｉ−Ｆｉアクセスポイントに移す要求を、１つ又は複数のＵＥのうちの１つのＵＥから受信することを含む。
【００７１】
例２５において、例１〜２４の少なくとも１つに記載のオフロードガイダンス情報を送信することは、１つ又は複数のＵＥに確率的オフロードシードを送信することを含む。
【００７２】
例２６において、例１〜２５の少なくとも１つに記載のオフロードガイダンス情報を送信することは、特定の１つの確率で、ＵＥトラヒックフローを、ｅＮｏｄｅＢからＷｉ−Ｆｉアクセスポイントにオフロードすることを示す緊急指標を送信することを含む。
【００７３】
例２７において、例１〜２６の少なくとも１つに記載のオフロードガイダンス情報を送信することは、オフロードガイダンス情報を１つ又は複数のＵＥにブロードキャストすることを含む。
【００７４】
例２８において、例１〜２７の少なくとも１つに記載のオフロードガイダンス情報を送信することは、オフロードガイダンス情報を１つ又は複数のＵＥのうちの１つのＵＥにユニキャストすることを含む。
【００７５】
例２９において、例１〜２８の少なくとも１つに記載の方法は、１つ又は複数のＵＥのうちの１つのＵＥに対して測定をする要求を送信することを含む。測定は、受信信号強度指標、信号対ノイズ比、ミスしたビーコンの割合、速度、位置、フレーム若しくはパケットエラーレート、又は、データレートのうちの１つ又は複数を含む。
【００７６】
当文書において、「１つ」との用語は、特許文献において一般的であるように、「少なくとも１つ」又は「１つまたは複数」との他の例又は使用とは無関係に、１つ又は複数を含むことを意図して用いられている。当文書において、「又は」との用語は、包括的なものを参照するために、つまり、特他の記載が無い場合には、「Ａ又はＢ」は「ＡであるがＢでない」、「ＢであるがＡでない」及び「ＡでありＢである」ことを含むように用いられている。当文書において、「含む」及び「そのなかに」との用語は、「備える」及び「そこで」とのそれぞれの用語の簡素な英語均等表現として使用している。また、以下の特許請求の範囲において、「含む」及び「備える」との用語は、制約のないものであり、つまり、請求項において、列挙した構成要素に加えて複数の構成要素を含むシステム、デバイス、品物、組成、公式、又は処理についてもなお請求項の範囲に含まれるものとされるべきである。さらに、以下の特許請求の範囲において、「第１」、「第２」及び「第３」等の用語は、単に分類を目的として用いられており、それらの対象において数的要件を課すことを意図していない。
【００７７】
特定の例示的な実施形態を参照して実施形態を説明してきたが、本発明の上位意図及び範囲から逸脱しない範囲において、これらの実施形態に対して様々な改良及び変更がなされてもよいことは明らかであろう。従って、本明細書及び図面は、限定的意図よりもむしろ説明的意図としてみなされるべきである。これに関して一部を形成する添付の図面は、限定する目的ではなく説明の目的で、主題が実施されうる特定の実施形態を示している。ここに記した実施形態は、当業者がここに記した技術を実施できるように十分に詳細なものである。本開示の範囲から逸脱しない範囲において、構造的及び論理的代替及び変更がなされるように、他の実施形態が利用されてもよく、そこから派生してもよい。発明を実施するための形態は、このため、限定的意図として解釈されるべきではない。様々な実施形態の範囲は、特許請求の範囲に権利が与えられる均等物全般と共に、添付の特許請求の範囲によってのみ規定される。
【００７８】
開示した主題のそのような実施形態は、複数の実施形態が実際に開示されている場合に本願の範囲を１つの発明又は発明概念に自発的に限定する意図がなく、単に利便上のために、個別に及び／又は集合的に、「発明」との用語によって参照されうる。このため、特定の実施形態をここに説明及び図示してきたが、同じ目的を達成するように計算された如何なる構成も、示された特定の実施形態の代用となりうる。本開示は、様々な実施形態の如何なる及び全ての適用又は変形を含むことを意図している。ここで具体的には開示されていない上記実施形態の組み合わせ及びその他の実施形態も、上記記載を検討することによって当業者にとって明白であろう。
【００７９】
いくつかの実施形態において、ここに記した機能又はアルゴリズムは、ハードウェア、ソフトウェア、又は、ハードウェアとソフトウェアとの組み合わせにおいて実行される。ソフトウェアは、メモリ又はその他のタイプの記憶デバイス等のコンピュータ可読媒体に格納されたコンピュータ実行可能な命令を含みうる。さらに、記載した機能は、ソフトウェア、ハードウェア、ファームウェア、又は、それらの組み合わせでありうるモジュールに相当してもよい。複数の機能が、所望の１つ又は複数のモジュールにおいて実行され、ここに記した実施形態は単に実施形態に過ぎない。ソフトウェアは、パーソナルコンピュータ、サーバ、ルータ、若しくは、ネットワーク相互接続デバイスを含むデータを処理することができるその他のデバイス等のシステム上で動作するデジタル信号プロセッサ、ＡＳＩＣ、マイクロプロセッサ、又は、その他のタイプのプロセッサ上で実行される。
【００８０】
いくつかの実施形態は、モジュール間で及びを介して通信された関連制御及びデータ信号を用いて、又は、特定用途向け集積回路の一部として、２又はそれより多い特定の相互接続ハードウェアモジュール又はデバイスにおいて機能を実行する。このため、処理フローは、ソフトウェアファームウェア、及びハードウェア実装に適用可能であってよい。
【００８１】
本開示のシステム及び方法は、モバイルアプリケーション、ウェブアプリケーションとしてモバイルデバイス上で、又は、コンピュータアプリケーションとしてデスクトップコンピュータ上で、又は、これらの組み合わせによって実行されてもよい。モバイルアプリケーションは、スマートフォン、タブレットコンピュータ、携帯情報端末（ＰＤＡ）、耐久性のあるモバイルコンピュータ、又は、その他のモバイルデバイス上で動作してもよい。モバイルデバイスは、Ｗｉ−Ｆｉ、広域ネットワーク（ＷＡＮ）、セルラー接続、ＷｉＭＡＸ（登録商標）、シリアルフロントパネルデータポート（Ｓｅｒｉａｌ ＦＰＤＰ）、高速Ｉ／Ｏ（入力／出力）トランスポート、又は、ネットワーキング接続のその他のタイプの有線又は無線方法を介して、インターネット又はネットワークと接続されてもよい。いくつかの実施形態において、ウェブアプリケーションは、特定の実施形態に応じて、デバイスアプリ、ウェブブラウザアプリケーション、又はその他の適したアプリケーションを介してアクセス可能なサース（ＳａａＳ）パッケージ（例えば、クラウドベースの実施形態）として配信されてもよい。
【００８２】
詳細、材料、並びに、発明主題の本質を説明するために記載及び図示した部品及び方法段階の構成において様々なその他の変更が、添付の特許請求の範囲に示された発明主題の範囲及び原理から逸脱しない範囲においてなされてもよいことは当業者であれば容易に理解できるであろう。
【図１】
2015523807.tif 000003
【図２】
2015523807.tif 000004
【図３】
2015523807.tif 000005
【国際調査報告】
2015523807.tif 000006
2015523807.tif 000007